(57)【特許請求の範囲】
【請求項１】
紙又は再生紙の製造過程で生ずる副産物のドライペーパースラッジからなる透水保水性を有する土壌改良材を、屋外グランド又は屋外コートの施工現場の現場土を所定の深さまで掘り起し形成の凹部内に投入し、その投入した前記土壌改良材と前記凹部より下方の下層部の現場土とを混合攪拌し、その後転圧処理を施して透水保水層を形成し、前記透水保水層の上方に表層を形成し、前記表層の上面は表面処理を施して表面部を形成して成ることを特徴とする屋外グランド又は屋外コートの施工方法。
【請求項２】
紙又は再生紙の製造過程で生ずる副産物のドライペーパースラッジからなる透水保水性を有する土壌改良材を、建設発生土に所定量投入・添加し混合撹拌して改良土を形成し、又は前記土壌改良材を、屋外グランド又は屋外コートの施工現場の所定の深さまで掘り起され取り出された現場土に、施工現場又は異なる場所のプラントにて所定量投入・添加し混合撹拌して改良土を形成し、前記改良土を前記屋外グランド又は屋外コートの施工現場の現場土を除去して所定の深さまで掘り起し形成された凹部内に投入し、転圧処理を施して透水保水層を形成し、前記透水保水層の表面にて表層を形成し、その後転圧処理を施すと共に前記表層の上面を表面処理を施して表面部を形成して成ることを特徴とする屋外グランド又は屋外コートの施工方法。
【請求項３】
紙又は再生紙の製造過程で生ずる副産物のドライペーパースラッジからなる透水保水性を有する土壌改良材を、建設発生土に所定量投入・添加し混合撹拌して改良土を形成し、前記改良土を屋外グランド又は屋外コートの施工現場の現場土を除去し所定の深さまで掘り起し形成された凹部に投入し、その投入された改良土と前記凹部より下方の下層部の現場土とを混合攪拌し転圧処理されて透水保水層を形成し、前記透水保水層の上面に表面処理を施して表面部を形成して成ることを特徴とする屋外グランド又は屋外コートの施工方法。
【請求項４】
紙又は再生紙の製造過程で生ずる副産物のドライペーパースラッジからなる透水保水性を有する土壌改良材を、屋外グランド又は屋外コートの施工現場の所定の深さまで掘り起され取り出された現場土に、施工現場又は異なる場所のプラントにて、所定量投入して改良土を形成し、その再生された改良土を、前記施工現場の現場土を除去し所定の深さまで掘り起されて形成の凹部に投入し、その投入された改良土と前記凹部より下方の下層部の現場土とを混合攪拌し転圧して透水保水層を形成し、当該透水保水層の上面に表面処理を施して表面部を形成して成ることを特徴とする屋外グランド又は屋外コートの施工方法。
【請求項５】
紙又は再生紙の製造過程で生ずる副産物のドライペーパースラッジからなる透水保水性を有する土壌改良材を、建設発生土に所定量投入・添加し混合撹拌して再生の改良土を、屋外グランド又は屋外コートの施工現場の現場土を除去し所定の深さまで掘り起して形成の凹部に投入し、その投入された改良土と前記凹部より下方の下層部の現場土とを混合攪拌し転圧して透水保水層を形成すると共に、前記透水保水層の上面に前記掘り起された現場土のうち良質のものを表層部として設け、当該表層部の上面に表面処理を施して表面部を形成して成ることを特徴とする屋外グランド又は屋外コートの施工方法。
【請求項６】
紙又は再生紙の製造過程で生ずる副産物のドライペーパースラッジからなる透水保水性を有する土壌改良材と、岩瀬砂、荒木田土、緑色スクリーニングスからなるグランド舗装材とを所定の割合で混合して形成の混合土壌改良材を、屋外グランド又は屋外コートの施工現場の現場土を所定の深さまで掘り起し取り出し形成の凹部内に投入し、その投入した前記混合土壌改良材と前記凹部より下方の下層部の現場土とを混合攪拌し、その後転圧処理を施して透水保水層を形成し、前記透水保水層の上方に表層を形成し、前記表層の上面は表面処理を施して表面部を形成して成ることを特徴とする屋外グランド又は屋外コートの施工方法。
【請求項７】
紙又は再生紙の製造過程で生ずる副産物のドライペーパースラッジからなる透水保水性を有する土壌改良材と、岩瀬砂、荒木田土、緑色スクリーニングスからなるグランド舗装材とを所定の割合で混合して形成の混合土壌改良材を、建設発生土に所定量投入・添加し混合撹拌し改良土を形成し、又は前記混合土壌改良材を、屋外グランド又は屋外コートの施工現場の所定の深さまで掘り起し除去した現場土に、施工現場又は異なる場所のプラントにて所定量投入・添加し混合撹拌して改良土を形成し、前記改良土を前記屋外グランド又は屋外コートの施工現場の現場土を除去し所定の深さまで掘り起され形成された凹部内に投入して表層を形成し、その後転圧処理を施すと共に前記表層の上面を表面処理を施して表面部を形成して成ることを特徴とする屋外グランド又は屋外コートの施工方法。
【請求項８】
紙又は再生紙の製造過程で生ずる副産物のドライペーパースラッジからなる透水保水性を有する土壌改良材と、岩瀬砂、荒木田土、緑色スクリーニングスからなるグランド舗装材を所定の割合で混合して形成の混合土壌改良材を、建設発生土に所定量投入・添加し混合撹拌し改良土を形成し、前記改良土を屋外グランド又は屋外コートの施工現場の現場土を除去して所定の深さまで掘り起し形成した凹部に投入し、その投入した改良土と前記凹部より下方の下層部の現場土とを混合攪拌し転圧処理を施して透水保水層を形成し、前記透水保水層の上面に表面処理を施して表面部７を形成して成ることを特徴とする屋外グランド又は屋外コートの施工方法。
【請求項９】
紙又は再生紙の製造過程で生ずる副産物のドライペーパースラッジからなる透水保水性を有する土壌改良材と、岩瀬砂、荒木田土、緑色スクリーニングスからなるグランド舗装材を所定の割合で混合して形成の混合土壌改良材を、屋外グランド又は屋外コートの施工現場の所定の深さまで掘り起し取り出された現場土に、施工現場又は異なる場所のプラントにて、所定量投入・添加し混合撹拌して改良土を形成し、その改良土を、前記施工現場の現場土を除去し所定の深さまで掘り起し形成された凹部に投入し、その投入された改良土と前記凹部より下方の下層部の現場土とを混合攪拌し転圧処理をして透水保水層を形成し、当該透水保水層の上面に表面処理を施して表面部を形成して成ることを特徴とする屋外グランド又は屋外コートの施工方法。
【請求項１０】
紙又は再生紙の製造過程で生ずる副産物のドライペーパースラッジからなる透水保水性を有する土壌改良材と、岩瀬砂、荒木田土、緑色スクリーニングスからなるグランド舗装材を所定の割合で混合し形成の混合土壌改良材を建設発生土に所定量投入・添加し混合撹拌して再生の改良土を形成し、その改良土を屋外グランド又はコートの施工現場の現場土を除去し所定の深さまで掘り起し形成の凹部に投入し、前記凹部より下方の下層部の現場土とを混合攪拌し転圧処理を施して透水保水層を形成すると共に、前記透水保水層の上面に前記掘り起された現場土のうち良質のものを表層部として設け、当該表層部の上面に表面処理を施して表面部を形成して成ることを特徴とする屋外グランド又は屋外コートの施工方法。
【発明の詳細な説明】
【技術分野】
【０００１】
本発明は、紙や再生紙の製造過程で生じた副産物のドライペーパースラッジを使用して改良された透水性・保水性ある屋外グランド又は屋外コートの施工方法と、その屋外グランド等の構造の再生に好適な土壌改良材の技術分野に関する。
【背景技術】
【０００２】
屋外グランドや屋外コートには、それを改良するために従来各種の土壌改良材が使用されている。
【０００３】
一方、紙や再生紙（以下単に「紙」ということがある。）の製造過程で生じた紙の副産物は、有効利用されることなく、そのまま廃棄処分されることが多い。
【０００４】
この点、特開２００４−５０１６０公開特許公報には、紙屑を土壌改良材として処理する方法が開示されている。
【０００５】
すなわち、同公報には請求項１２として、生ゴミ、紙屑、廃材、廃材チップ、間伐材、枝葉から選ばれた材料又は混合物を乾燥温度と乾留温度との中間温度で、不活性雰囲気乃至空気雰囲気中で加熱脆化させ次いで同一装置又は別の装置で圧縮圧縮減容し或いは破砕機で砕片又は粉粒とした後に、貯蔵容器、粉体輸送管路、粉体輸送車、運搬容器から選ばれた１つ又は組み合わせ輸送手段で収集し埋立、成型材料、土壌代替材或いは土壌改良材とし、又は燃料又は炭素性原材料とする処理法が記載されている。
【０００６】
さらに従来の屋外グランド及びコートの構造として、特許第３４０９１８４号（発明の名称  屋外グランド及びコートの構造）が開示されている。前記特許に関する発明は、建設現場等から大量に出されて選別された土に改良剤と固化剤を添加し形成した所定の強度と約１３ｍｍ以下の透水可能な大きさの粒状改良土を、グランド等の透水保水層として再利用したものである。
【特許文献１】特開２００４−５０１６０公報
【特許文献２】特許第３４０９１８４号  特許公報
【発明の開示】
【発明が解決しようとする課題】
【０００７】
前記特許文献１に開示された処理法は、紙屑等を土壌改良材等として利用するものだが、その実施に要する装置・設備が大がかりである。
【０００８】
また、紙や再生紙の製造過程で生じた副産物のドライペーパースラッジを、改良対象の屋外グランド類やそれに好適な土壌改良材として使用するものでもない。
【０００９】
さらに、前記特許文献２に開示された屋外グランド及びコートの構造において使用される透水保水材は、建設現場等から出されて選別された土に改良剤と固化剤を添加し形成した透水可能な大きさの粒状改良土をグランド等の透水保水層として再利用したものであった。
【００１０】
したがって、本発明が解決しようとする課題は、紙や再生紙の製造過程で生じた副産物のドライペーパースラッジを使用して改良された屋外グランド又は屋外コートの施工方法と、それら屋外グランド類に好適な土壌改良材を実現し、不用となった前記副産物の有効利用を図りつつ、透水性・保水性ある優れた屋外グランド類の施工方法を提供することにある。
【課題を解決するための手段】
【００１１】
上記課題を解決するための手段として、請求項１記載の発明の屋外グランド又は屋外コートの施工方法は、紙又は再生紙の製造過程で生ずる副産物のドライペーパースラッジからなる透水保水性を有する土壌改良材１を、屋外グランド又は屋外コートの施工現場２０の現場土１０を所定の深さまで掘り起し形成の凹部２内に投入し、その投入した前記土壌改良材１と前記凹部２より下方の下層部５の現場土１０とを混合攪拌し、その後転圧処理を施して透水保水層６を形成し、前記透水保水層６の上方に表層４を形成し、前記表層４の上面は表面処理を施して表面部７を形成して成ることを特徴とする。
【００１２】
請求項２記載の発明の屋外グランド又は屋外コートの施工方法は、紙又は再生紙の製造過程で生ずる副産物のドライペーパースラッジからなる透水保水性を有する土壌改良材１を、建設発生土に所定量投入・添加し混合撹拌して改良土３を形成し、又は前記土壌改良材１を、屋外グランド又は屋外コートの施工現場２０の所定の深さまで掘り起され取り出された現場土１０に、施工現場又は異なる場所のプラントにて所定量投入・添加し混合撹拌して改良土３を形成し、前記改良土３を前記屋外グランド又は屋外コートの施工現場２０の現場土１０を除去して所定の深さまで掘り起し形成された凹部２内に投入し、転圧処理を施して透水保水層６を形成し、前記透水保水層６の表面に表層４を形成し、その後転圧処理を施すと共に前記表層４の上面を表面処理を施して表面部７を形成して成ることを特徴とする。
【００１３】
請求項３記載の発明の屋外グランド又は屋外コートの施工方法は、紙又は再生紙の製造過程で生ずる副産物のドライペーパースラッジからなる透水保水性を有する土壌改良材１を、建設発生土に所定量投入・添加し混合撹拌して改良土３を形成し、前記改良土３を屋外グランド又は屋外コートの施工現場２０の現場土１０を除去し所定の深さまで掘り起し形成された凹部２に投入し、その投入された改良土３と前記凹部２より下方の下層部５の現場土１０とを混合攪拌し転圧処理されて透水保水層６を形成し、前記透水保水層６の上面に表面処理を施して表面部７を形成して成ることを特徴とする。
【００１４】
請求項４記載の発明の屋外グランド又は屋外コートの施工方法は、紙又は再生紙の製造過程で生ずる副産物のドライペーパースラッジからなる透水保水性を有する土壌改良材１を、屋外グランド又は屋外コートの施工現場２０の所定の深さまで掘り起され取り出された現場土１０に、施工現場又は異なる場所のプラントにて、所定量投入して改良土３を形成し、その再生された改良土３を、前記施工現場２０の現場土１０を除去し所定の深さまで掘り起されて形成の凹部２に投入し、その投入された改良土３と前記凹部２より下方の下層部５の現場土１０とを混合攪拌し転圧して透水保水層６を形成し、当該透水保水層６の上面に表面処理を施して表面部９を形成して成ることを特徴とする。
【００１５】
請求項５記載の発明の屋外グランド又は屋外コートの施工方法は、紙又は再生紙の製造過程で生ずる副産物のドライペーパースラッジからなる透水保水性を有する土壌改良材１を、建設発生土に所定量投入・添加し混合撹拌して再生の改良土３を、屋外グランド又は屋外コートの施工現場２０の現場土１０を所定の深さまで掘り起して形成の凹部２に投入し、その投入された改良土３と前記凹部２より下方の下層部５の現場土１０とを混合攪拌し転圧して透水保水層６を形成すると共に、前記透水保水層６の上面に前記掘り起された現場土１０のうち良質のものを表層部１１として設け、当該表層部１１の上面に表面処理を施して表面部１２を形成して成ることを特徴とする。
【００１６】
上記課題を解決するための手段として、請求項６記載の発明の屋外グランド又は屋外コートの施工方法は、紙又は再生紙の製造過程で生ずる副産物のドライペーパースラッジからなる透水保水性を有する土壌改良材１と、岩瀬砂、荒木田土、緑色スクリーニングスからなるグランド舗装材1ａとを所定の割合で混合して形成の混合土壌改良材１ｂを、屋外グランド又は屋外コートの施工現場２０の現場土１０を所定の深さまで掘り起し取り出し形成の凹部２内に投入し、その投入した前記混合土壌改良材１ｂと前記凹部２より下方の下層部５の現場土１０とを混合攪拌し、その後転圧処理を施して透水保水層６を形成し、前記透水保水層６の上方に表層４を形成し、前記表層４の上面は表面処理を施して表面部７を形成して成ることを特徴とする。
【００１７】
請求項７記載の発明の屋外グランド又は屋外コートの施工方法は、紙又は再生紙の製造過程で生ずる副産物のドライペーパースラッジからなる透水保水性を有する土壌改良材１と、岩瀬砂、荒木田土、緑色スクリーニングスからなるグランド舗装材1ａとを所定の割合で混合して形成の混合土壌改良材１ｂを、建設発生土に所定量投入・添加し混合撹拌し改良土３を形成し、又は前記混合土壌改良材１ｂを、屋外グランド又は屋外コートの施工現場２０の所定の深さまで掘り起し除去した現場土１０に、施工場所又は異なる場所のプラントにて所定量投入・添加し混合撹拌して改良土３を形成し、前記改良土３を前記屋外グランド又は屋外コートの施工現場２０の現場土１０を除去し所定の深さまで掘り起され形成された凹部２内に投入して表層４を形成し、その後転圧処理を施すと共に前記表層４の上面を表面処理を施して表面部７を形成して成ることを特徴とする。
【００１８】
請求項８記載の発明の屋外グランド又は屋外コートの施工方法は、紙又は再生紙の製造過程で生ずる副産物のドライペーパースラッジからなる透水保水性を有する土壌改良材１と、岩瀬砂、荒木田土、緑色スクリーニングスからなるグランド舗装材1ａを所定の割合で混合して形成の混合土壌改良材１ｂを、建設発生土に所定量投入・添加し混合撹拌し改良土３を形成し、前記改良土３を屋外グランド又は屋外コートの施工現場２０の現場土１０を除去して所定の深さまで掘り起し形成した凹部２に投入し、その投入した改良土３と前記凹部２より下方の下層部５の現場土１０とを混合攪拌し転圧処理を施して透水保水層６を形成し、前記透水保水層６の上面に表面処理を施して表面部７を形成して成ることを特徴とする。
【００１９】
請求項９記載の発明の屋外グランド又は屋外コートの施工方法は、紙又は再生紙の製造過程で生ずる副産物のドライペーパースラッジからなる透水保水性を有する土壌改良材１と、岩瀬砂、荒木田土、緑色スクリーニングスからなるグランド舗装材1ａを所定の割合で混合して形成の混合土壌改良材１ｂを、屋外グランド又は屋外コートの施工現場２０の所定の深さまで掘り起し取り出された現場土１０に、施工場所又は異なる場所のプラントにて、所定量投入・添加し混合撹拌して改良土３を形成し、その改良土３を、前記施工現場２０の現場土１０を除去し所定の深さまで掘り起し形成された凹部２に投入し、その投入された改良土３と前記凹部２より下方の下層部５の現場土１０とを混合攪拌し転圧処理をして透水保水層６を形成し、当該透水保水層６の上面に表面処理を施して表面部９を形成して成ることを特徴とする。
【００２０】
請求項１０記載の発明の屋外グランド又は屋外コートの施工方法は、紙又は再生紙の製造過程で生ずる副産物のドライペーパースラッジからなる透水保水性を有する土壌改良材１と、岩瀬砂、荒木田土、緑色スクリーニングスからなるグランド舗装材１ａを所定の割合で混合し形成の混合土壌改良材１ｂを建設発生土に所定量投入・添加し混合撹拌して再生の改良土３を形成し、その改良土３を屋外グランド又はコートの施工現場２０の現場土を除去し所定の深さまで掘り起し形成の凹部２に投入し、前記凹部２より下方の下層部５の現場土１０とを混合攪拌し転圧処理を施して透水保水層６を形成すると共に、前記透水保水層６の上面に前記掘り起された現場土１０のうち良質のものを表層部１１として設け、当該表層部１１の上面に表面処理を施して表面部１２を形成して成ることを特徴とする。
【発明の効果】
【００２１】
請求項１〜１０記載の発明の屋外グランド又は屋外コートの施工方法等は、紙や再生紙の製造過程で生ずる従来不用とされてきた副産物のドライペーパースラッジからなる透水保水性を有する土壌改良材としての単体もしくは前記副産物の含有水分を除去した土壌改良材の単体と、グランド舗装材との混合土壌改良材を透水保水層として屋外グランド及びコートの構造とすることによって、その透水性と保水性に優れた透水保水機能を屋外グランド等において発揮せしめることができるようにしたので、前記副産物の有効利用によるリサイクルと“やさしい地球”の実現が図られると共に、そのような透水・保水性に優れた屋外グランド類の合理的施工に寄与する利点を有している。
【００２２】
また、本発明の屋外グランド又は屋外コートの施工方法は、透水保水性を有する紙や再生紙の製造過程で生ずる透水性と保水性とを有する副産物のドライペーパースラッジのため柔らかくしかも弾力性を有しているので、衝撃吸収力を有し、足裏への負担も著しく減少せしめると共に、足裏を損傷させず怪我の心配がなく、安全性の向上に大きく貢献するできる利点を有している。
【００２３】
さらに、当該副産物のドライペーパースラッジを原料とする土壌改良材が投入されて成る改良土は、透水性と保水性を併有しているので、水放けは極めて良好である上、透水保水層内に所定量の水分が適度に貯溜される一方、その透水保水層に貯留する水分が、当該グランドの表面部にまで毛細管現象によって上昇し適度の湿り気を漂わせてスポーツ競技者に爽やかさを与えて健康にも良く、ほこり立ちが防止される。
【００２４】
また、前記請求項に記載の発明は、掘り起された現場土が廃棄物として捨てることなく、改良土として加工し再利用が図られ、施工費の著減にも貢献する。
【００２５】
さらに、前記請求項に記載の発明は、凹部の形成時に掘り起された良質の既存土が再度投入され表層部として再利用し、資源の有効利用を可能にした。加えて、そのような有効利用により、グランド等の施工工事費の節減に寄与する。
【００２６】
また、前記請求項に記載の発明は、当該紙や再生紙の製造過程で生ずる副産物のドライペーパースラッジから成る土壌改良材で形成された透水保水層や表層等の上に、芝生が敷設されて成るので、前記透水保水層等が芝床土として有効利用が図られる。
【発明を実施するための最良の形態】
【００２７】
請求項１〜１０に係る屋外グランド又は屋外コートの施工方法並びにそれらに好適な土壌改良材の発明に関する実施の形態は、共通するので一括して説明する。
【００２８】
以下、屋外グランドにおける好適な実施形態につき、図面に従いながら説明する。説明を省略したコートにおける形態は、屋外グランドと同様に実施可能である。
【００２９】
まず、図１と図２に図示した本発明の屋外グランドの構造に関する実施形態について説明する。
【００３０】
図１中、符号２０は、屋外グランドにおける施工現場を示している。符号２は、前記屋外グランドの施工現場２０の現場土１０を所定の深さまで掘り起して形成された凹部である。５は前記凹部２より下方の下層部を示している。
【００３１】
図２中、符号１は、土壌改良材を示している。この土壌改良材１は、紙や、当該紙等が再生されたいわゆる再生紙を製造する過程で生じた透水性及び保水性を備えて形成されている副産物のドライペーパースラッジである。また当該土壌改良材１は、適度な粘着性も発揮し得るものである。その粒子の大きさは、粒径が０ｍｍ〜５ｍｍぐらいが好適である。当該土壌改良材１は、そのままの状態で使用されるが、必要に応じて乾燥させるなど適宜最良の態様で実施可能である。
【００３２】
本実施形態の屋外グランドの施工方法は、前記のように紙又は再生紙の製造過程で生じた透水保水性を有する副産物のドライペーパースラッジから成る土壌改良材１を所定量図１に示した所定の深さに掘り起して形成された凹部２に投入し、その投入した土壌改良材１と前記凹部２より下方の下層部５の現場土１０と混合攪拌した後転圧処理を施して透水保水層６を形成する。そして当該透水保水層６の上方部に表層４が形成されている。表層４を形成する表層部材としては、グランド舗装材１ａを表層部材として使用する。但し、その他様々な表層部材が適宜使用される。
【００３３】
そして、前記表層４の上面には表面処理（ＮＳバインダー又はＮＳバインダーＤＣ０．５ｋｇ／ｍ２等）が施された表面部７形成している。
【００３４】
図３に示した実施形態について説明する。本実施形態の屋外グランドの施工方法は、下記の改良土が表層材として使用されるものである。
【００３５】
図中符号３は、改良土を示しており、これは、建設現場等から発生される所定の大きさの土（例えば１３ｍｍ以下）に、前記土壌改良材１が、所定量（一例として前記土を７０％、前記土壌改良材を３０％）投入・添加し混合撹拌して形成されたものである。この改良土３が、前記凹部２に投入されて転圧処理が施されて表層４が形成される。そして当該表層４の上面は表面処理が施された表面部７に形成されて成るものである。
【００３６】
次に、図４〜図７に図示した本発明の屋外グランドの施工方法に関する実施形態について説明する。
【００３７】
本実施形態の改良土３は、前記屋外グランドの施工現場２０等の土を所定の深さまで掘り起して形成された凹部２に、所定量投入され、当該投入された改良土３と、前記凹部２より下方の下層部５の現場土１０とが混合撹拌装置（但し、この装置に限定されない。）を用いて十分に混合攪拌する。
【００３８】
上記のように混合撹拌された後、所定の厚さに転圧処理が施されて新しい透水保水層６が形成される。したがって、この透水保水層６は、効果的に所定の強度を有して透水性と保水性を発揮するものである。
【００３９】
かように本屋外グランドの施工方法は、限りある地球の資源を再利用し、クッション性にも優れ、しかもスポーツをする者に対し与える衝撃の度合を小さく、しかも優しく、さらに工事費の節減を図ったものである。
【００４０】
次に、図８〜図１１に図示した本発明の屋外グランドの構造に関する実施形態について説明する。
【００４１】
前記と若干異なる本実施形態の特徴は、凹部２を形成する際に掘り起された現場土１０を施工現場２０（又は異なる場所）のプラントにて、土壌改良材１が添加されて形成した改良土３として再生されているものである。掘り起された現場土１０を再利用するので資源の節減になる。そして凹部２に投入された前記改良土３は、所定の厚さで転圧処理が施され透水保水層６が形成される。
【００４２】
なお、図１１に示したように、前記凹部２を形成する際に掘り起された現場土１０のうち、石、ガラス等の危険物が入っていない良質の土を使用して設けた表層部８の上面に転圧処理を施す形態も好適である。符号９は、表面処理が施された表面部を示している。
【００４３】
また、不足分の土を補うために、前記の良質の既存土によって設けた表層部８に、必要最小限の新たな良質の土を補充することも必要に応じ適宜実施される。
【００４４】
さらに、前記表層部８と表面部９に代えて、透水保水層６の上方に形成される表層部１１として、表層部材（グランド舗装材）が投入された後、約３０〜約１００ｍｍ程度の厚さにて転圧され、当該表層部１１の上方に、ＮＳバインダー又はＮＳバインダーＤＣ０．５ｋｇ／ｍ２等の材料により表面部１２が形成される形態も好適に実施される。
【００４５】
上述した本実施形態の屋外グランドは、前記改良土３と現場土１０とが攪拌混合されることにより、隙き間が大きくなるので、雨水が浸透しやすく、しかも保水もする。
【００４６】
また、経年して透水保水層６を構成する改良土３が表われても、競技者らの靴によって容易に圧潰される。そして、もともとが自然の土であるため、異和感は全くない。さらに、改良土３は副産物のドライペーパースラッジを原料とする土壌改良材１が投入されて形成されているので、衝撃吸収力を有しており、競技者らにとって極めてスポーツがやり易い。
【００４７】
次に、図１２に図示した本発明の屋外グランドの構造に関する実施形態もある。
【００４８】
すなわち、本実施形態の構造は、上記した紙や再生紙の製造過程で生ずる副産物のドライペーパースラッジで構成され透水保水性を備えて成る土壌改良材１が、屋外グランドの施工現場２０の現場土１０において所定の深さで形成された凹部２に敷均された下層１３として形成され、当該下層１３の上に表層４が形成されているものである。このように、当該土壌改良材１が単体で下層に敷均される形態でも好適に実施される。
【００４９】
或いは、前記図１２において、表層４を形成せずに、当該副産物のドライペーパースラッジで構成された土壌改良材１の単層のみで形成された形態でも実施可能である。
【００５０】
さらに本発明の屋外グランド又は屋外コートの施工方法に関する第２の実施の形態としては以下の場合がある。
【００５１】
前記土壌改良材１は、紙又は再生紙の製造過程で生ずる副産物のドライペーパースラッジからなるものであり、本発明の土壌改良材１としての使用時には、水分を含有したままの状態で使用したりあるいは水分を除去した、いわゆる乾燥させふっくらしたとして軽量化した状態で使用することもある。
【００５２】
さらに本発明は、紙又は再生紙の製造過程で生ずる副産物のドライペーパースラッジからなる透水保水性を有する乾燥せしめた土壌改良材１を所定量として、３０％と、グランド舗装材１ｂを所定量として７０％を混合して形成の混合土壌改良材１ｂを使用することもできる。
【００５３】
そして、前記混合土壌改良材１ｂは、請求項１〜８に記載の発明の屋外コートの構造と同じように屋外グランド又は屋外コートの施工現場２０の現場土１０を所定の深さまで掘り起し形成の凹部２内に投入し、その投入した前記混合土壌改良材１ｂと前記凹部２より下方の下層部５の現場土１０とを混合攪拌し、その後転圧処理を施して透水保水層６を形成する。そして前記透水保水層６の上方に表層４を形成し、前記表層４の上面は表面処理を施して表面部７を形成する。
【００５４】
さらに本発明の屋外グランド又は屋外コートの施工方法は、紙又は再生紙の製造過程で生ずる副産物のドライペーパースラッジからなる透水保水性を有する土壌改良材１と、グランド舗装材1ａとを所定の割合で混合して形成の混合土壌改良材１ｂを、建設発生土又は現場土１０に所定量投入し改良土３を形成し、又は前記混合土壌改良材１ａを、屋外グランド又は屋外コートの施工現場２０の所定の深さまで掘り起し除去した現場土１０に、プラントにて所定量投入して改良土３を形成し、その後転圧処理を施して透水保水層６を形成する。さらに前記改良土３を前記屋外グランド又は屋外コートの施工現場２０の現場土１０において所定の深さまで掘り起され形成された凹部２内に投入して表層４を形成し、その後転圧処理を施すと共に前記表層４の上面を表面処理を施して表面部７を形成することもできる。
【００５５】
また本発明の屋外グランド又は屋外コートの施工方法は、紙又は再生紙の製造過程で生ずる副産物のドライペーパースラッジからなる透水保水性を有する土壌改良材１と、グランド舗装材1ａを所定の割合で混合して形成の混合土壌改良材１ｂを、建設発生土に所定量投入し改良土３を形成し、前記改良土３を屋外グランド又は屋外コートの施工現場２０の現場土１０を除去して所定の深さまで掘り起し形成した凹部２に投入し、その投入した改良土３と前記凹部２より下方の下層部５の現場土１０とを混合攪拌し転圧処理を施して透水保水層６を形成する。さらに前記透水保水層６の上面に表面処理を施して表面部７を形成する。
【００５６】
さらに本発明の屋外グランド又は屋外コートの施工方法は、紙又は再生紙の製造過程で生ずる副産物のドライペーパースラッジからなる透水保水性を有する土壌改良材１と、グランド舗装材1ａを所定の割合で混合して形成の混合土壌改良材１ｂを屋外グランド又は屋外コートの施工現場２０の所定の深さまで掘り起し取り出された現場土１０に、プラントにて、所定量投入して改良土３を形成し、その再生された改良土３を、前記施工現場２０の現場土１０において所定の深さまで掘り起し形成された凹部２に投入し、その投入された改良土３と前記凹部２より下方の下層部５の現場土１０とを混合攪拌し転圧処理をして透水保水層６を形成する。さらに当該透水保水層６の上面に表面処理を施して表面部９を形成する。
【００５７】
また本発明の屋外グランド又は屋外コートの施工方法は、紙又は再生紙の製造過程で生ずる副産物のドライペーパースラッジからなる透水保水性を有する土壌改良材１と、グランド舗装材１ａを所定の割合で混合し形成の混合土壌改良材１ｂを建設発生土に所定量投入して再生の改良土３を形成し、その投入された改良土３を屋外グランド又は屋外コートの施工現場２０の所定の深さまで掘り起し形成の凹部２に投入し、前記凹部２より下方の下層部５の現場土１０とを混合攪拌し転圧処理を施して透水保水層６を形成すると共に、前記透水保水層６の上面に前記掘り起された現場土１０のうち良質のものを表層部１１として設け、当該表層部１１の上面に表面処理を施して表面部１２を形成する。
【００５８】
さらに本発明の屋外グランド又は屋外コートの施工方法は、紙又は再生紙の製造過程で生ずる副産物のドライペーパースラッジからなる透水保水性を有する土壌改良材１と、グランド舗装材１ａを所定の割合で混合して形成の混合土壌改良材１ｂを建設発生土又は現場土１０に所定量投入して改良土３を形成し、前記改良土３を屋外グランド又は屋外コートの施工現場２０の現場土１０において所定の深さまで掘り起し形成した凹部２に投入して転圧処理を施し、透水保水層６を形成し、前記透水保水層６の上面に表層部１１を設け、前記表層部１１の上面に表面処理を施して表面部１２を形成する。
【００５９】
また本発明の屋外グランド又は屋外コートの施工方法は、紙又は再生紙の製造過程で生ずる副産物のドライペーパースラッジからなる透水保水性を有する土壌改良材１と、グランド舗装材１ａを所定の割合で混合し形成の混合土壌改良材１ｂを屋外グランド又は屋外コートの施工現場２０の現場土１０において所定の深さまで掘り起し形成の凹部２に敷均して転圧処理を施して形成する。
【００６０】
さらに本発明の屋外グランド又は屋外コートの施工方法は、紙又は再生紙の製造過程で生ずる副産物のドライペーパースラッジからなる透水保水性を有する土壌改良材１と、グランド舗装材１ａを所定の割合で混合し形成の混合土壌改良材１ｂを屋外グランド又は屋外コートの施工現場２０の現場土１０において所定の深さまで掘り起し形成の凹部２に敷均させて転圧処理を施して下層１３を形成し、前記下層１３の上に表層４を形成する。
【００６１】
また本発明の屋外グランド又は屋外コートの施工方法は、前記表層４又は透水保水層６若しくは表層部８、１１の上に、芝生１４が敷設される。
【００６２】
さらに、図１３に示したような実施形態も採用可能である。本形態の屋外グランドの構造は、前記表層４や透水保水層６若しくは表層部８、１１の上に、芝生１４が敷設されて成るものである。
【００６３】
また本発明における前記グランド舗装材として岩瀬砂、荒木田土、緑色スクリーニングス等を使用することができる。
【図面の簡単な説明】
【００６４】
【図１】本発明の屋外グランドの施工方法を形成するために掘り起された状態の凹部を示した縦断面図である。
【００６５】
【図２】土壌改良材が投入され下層現場土と混合攪拌された透水保水層を示した縦断面図である。
【００６６】
【図３】改良土が表層材の縦断面図である。
【００６７】
【図４】異なる屋外グランドの構造を形成するために掘り起された状態の凹部を示した縦断面図である。
【００６８】
【図５】改良土が投入され現場土と混合攪拌された状態の縦断面図である。
【００６９】
【図６】転圧され形成された透水保水層を示した縦断面図である。
【００７０】
【図７】表面部が形成された本屋外グランドの縦断面図である。
【００７１】
【図８】異なる実施形態において形成された凹部を示した縦断面図である。
【００７２】
【図９】改良土が投入され現場土と混合攪拌された状態の縦断面図である。
【００７３】
【図１０】転圧され形成された透水保水層を示した縦断面図である。
【００７４】
【図１１】表層部と表面部とが形成された本屋外グランドの縦断面図である。
【００７５】
【図１２】土壌改良材が下層に敷均された状態を示した縦断面図である。
【００７６】
【図１３】芝床土が形成された本屋外グランドの縦断説明図である。
【００７７】
【図１４】土壌改良材を示す拡大図である。
【００７８】
【図１５】グランド舗装材を示す図である。
【００７９】
【図１６】混合土壌改良材を示す図である。
【符号の説明】
【００８０】
１      土壌改良材
１ａ    グランド舗装材
１ｂ    混同土壌改良材
２      凹部
３      改良土
４      表層
５      下層部
６      透水保水層
７      表面部
８      表層部
９      表面部
１０    現場土
１３    下層
１４    芝生
２０    施工現場
【図１】
0004974083.tif 000002
【図２】
0004974083.tif 000003
【図３】
0004974083.tif 000004
【図４】
0004974083.tif 000005
【図５】
0004974083.tif 000006
【図６】
0004974083.tif 000007
【図７】
0004974083.tif 000008
【図８】
0004974083.tif 000009
【図９】
0004974083.tif 000010
【図１０】
0004974083.tif 000011
【図１１】
0004974083.tif 000012
【図１２】
0004974083.tif 000013
【図１３】
0004974083.tif 000014
【図１４】
0004974083.tif 000015
【図１５】
0004974083.tif 000016
【図１６】
0004974083.tif 000017